(57)【要約】【課題】橋梁に想定を超えた地震動が作用した場合に、速やかにダンパ装置２０を機能喪失させて、想定を超えた地震時の橋梁全体の耐久性を維持する。【解決手段】橋桁１に設置されたブラケット３０と、橋脚２に設置されたブラケット４０と、ダンパ装置２０の一端をブラケット３０の取付部３１の他端側の主面に締結するノックオフボルト５０と、ダンパ装置２０の他端をブラケット４０の取付部の他端側の主面に締結するノックオフボルト６０とを備え、ノックオフボルト５０，６０は、強度弱部５４，６４を有し、想定を超えた外力がダンパ装置２０の伸張する方向に付加された場合には、ノックオフボルト５０の強度弱部５４が破断し、ダンパ装置２０の一端とブラケット３０との締結状態が外れ、収縮する方向に付加された場合には、ノックオフボルト６０の強度弱部６４が破断して、ダンパ装置２０の他端とブラケット４０との締結状態が外れる。【選択図】図１
2014031670.tif 000002
【特許請求の範囲】
【請求項１】
第１の橋梁構造物に設置され、ダンパ装置の一端を該第１の橋梁構造物に取り付ける第１のブラケットと、
第２の橋梁構造物に設置され、上記ダンパ装置の他端を該第２の橋梁構造物に取り付ける第２のブラケットと、
上記ダンパ装置の一端を上記第１のブラケットの取付部の他端側の主面に締結する第１のノックオフボルトと、
上記ダンパ装置の他端を上記第２のブラケットの取付部の他端側の主面に締結する第２のノックオフボルトとを備え、
上記第１のノックオフボルト及び上記第２のノックオフボルトは、強度弱部を有し、
想定を超えた外力が上記ダンパ装置の伸張する方向に付加された場合には、上記第１のノックオフボルトの強度弱部が破断し、上記ダンパ装置の一端と上記第１のブラケットとの締結状態が外れ、
想定を超えた外力が上記ダンパ装置の収縮する方向に付加された場合には、上記第２のノックオフボルトの強度弱部が破断し、上記ダンパ装置の他端と上記第２のブラケットとの締結状態が外れることを特徴とするダンパ取付装置。
【請求項２】
上記強度弱部は、上記第１のノックオフボルト及び上記第２のノックオフボルトの軸部に、該軸部よりも断面積を減少させて設けられていることを特徴とする請求項１に記載のダンパ取付装置。
【請求項３】
上記第１のブラケットは、上記第１の橋梁構造物が上記第２の橋梁構造物から落下することを防止する落橋防止装置を更に上記第１の橋梁構造物に取り付けることを特徴とする請求項１又は請求項２に記載のダンパ取付装置。
【発明の詳細な説明】
【技術分野】
【０００１】
本発明は、高架道路、河川、渓谷等における橋梁において、大規模地震時の振動等によって想定を超えた地震動が作用した場合、ダンパ装置によって橋梁本体に損傷を与えることなく、速やかにダンパ装置を機能喪失させて、想定を超えた地震時の橋梁全体の耐久性を維持させるダンパ取付装置に関する。
【背景技術】
【０００２】
近年、橋梁には、例えば、橋桁と橋脚（橋台）との間に、地震によって急激な振動が発生した場合に振動を有効に減衰させるダンパ装置が設けられている（特許文献１参照。）。このダンパ装置は、例えば、橋桁及び橋脚（橋台）に設置されたブラケット等のダンパ取付装置にボルト及びナットを用いて締結されることで、橋桁及び橋脚（橋台）に取り付けられ、橋梁に想定内の地震動が作用した場合には、振動を有効に減衰させる。
【０００３】
しかしながら、ダンパ装置は、橋梁に想定を超えた地震動が作用した場合の破壊メカニズムが明確になっていない。したがって、橋梁に想定を超えた地震動が作用した場合には、ダンパ装置によって、橋梁本体に損傷を与える虞がある。
【０００４】
したがって、ダンパ取付装置は、橋梁に想定を超えた地震動が作用した場合には、ダンパ装置２０によって橋梁本体に損傷を与えることなく、速やかにダンパ装置を機能喪失させることが求められている。
【先行技術文献】
【特許文献】
【０００５】
【特許文献１】特開２０１２−０３１９８３号公報
【発明の概要】
【発明が解決しようとする課題】
【０００６】
本発明は、以上のような問題点に鑑みて成されたものであり、橋梁に想定を超えた地震動が作用した場合に、ダンパ装置によって橋梁本体に損傷を与えることなく、速やかにダンパ装置を機能喪失させて、想定を超えた地震時の橋梁全体の耐久性を維持させるダンパ取付装置を提供することを目的とする。
【課題を解決するための手段】
【０００７】
本発明に係るダンパ取付装置は、第１の橋梁構造物に設置され、ダンパ装置の一端を該第１の橋梁構造物に取り付ける第１のブラケットと、第２の橋梁構造物に設置され、上記ダンパ装置の他端を該第２の橋梁構造物に取り付ける第２のブラケットと、上記ダンパ装置の一端を上記第１のブラケットの取付部の他端側の主面に締結する第１のノックオフボルトと、上記ダンパ装置の他端を上記第２のブラケットの取付部の他端側の主面に締結する第２のノックオフボルトとを備える。上記第１のノックオフボルト及び上記第２のノックオフボルトは、強度弱部を有する。想定を超えた外力が上記ダンパ装置の伸張する方向に付加された場合には、上記第１のノックオフボルトの強度弱部が破断し、上記ダンパ装置の一端と上記第１のブラケットとの締結状態が外れ、想定を超えた外力が上記ダンパ装置の収縮する方向に付加された場合には、上記第２のノックオフボルトの強度弱部が破断し、上記ダンパ装置の他端と上記第２のブラケットとの締結状態が外れる。
【０００８】
更に、上記強度弱部は、上記第１のノックオフボルト及び上記第２のノックオフボルトの軸部に、該軸部よりも断面積を減少させて設けるようにしても良い。
【０００９】
更に、上記第１のブラケットは、上記第１の橋梁構造物が上記第２の橋梁構造物から落下することを防止する落橋防止装置を更に上記第１の橋梁構造物に取り付けるようにしても良い。
【発明の効果】
【００１０】
本発明では、ダンパ装置の一端が、第１の橋梁構造物に設置された第１のブラケットの取付部の他端側の主面に、第１のノックオフボルトによって締結され、ダンパ装置の他端が、第２の橋梁構造物に設置された第２のブラケットの取付部の他端側の主面に、第２のノックオフボルトによって締結されているとともに、第１のノックオフボルトと第２のノックオフボルトとに、他の構成部材よりも構造的強度が低い強度弱部が設けられている。
【００１１】
したがって、本発明では、橋梁に想定を超えた地震動が作用して、ダンパ装置に、ダンパ装置が伸張する方向に想定を超えた外力が付加された場合、第１のノックオフボルトの強度弱部が破断する。よって、本発明では、ダンパ装置の一端と第１のブラケットとの締結状態が外れ、ダンパ装置によって、第１のブラケット、第２のブラケット、橋桁及び橋脚に損傷を与えることなく、ダンパ装置を速やかに機能喪失させて、想定を超えた地震時の橋梁全体の耐久性を維持することができる。
【００１２】
更に、本発明では、橋梁に想定を超えた地震動が作用して、ダンパ装置に、ダンパ装置が収縮する方向に想定を超えた外力が付加された場合、第２のノックオフボルトの強度弱部が破断する。よって、本発明では、ダンパ装置の他端と第２のブラケットとの締結状態が外れ、ダンパ装置によって、第１のブラケット、第２のブラケット、橋桁及び橋脚に損傷を与えることなく、ダンパ装置を速やかに機能喪失させて、想定を超えた地震時の橋梁全体の耐久性を維持することができる。
【図面の簡単な説明】
【００１３】
【図１】本発明を適用したダンパ取付装置に、ダンパ装置が圧縮する方向に想定を超えた外力が付加された場合の動作を概略的に示した断面図である。
【図２】ノックオフボルトを示した一側面図である。
【図３】本発明を適用したダンパ取付装置に、ダンパ装置が伸張する方向に想定を超えた外力が付加された場合の動作を概略的に示した断面図である。
【図４】本発明を適用したダンパ取付装置の変形例を示し、この変形例のダンパ取付装置に、ダンパ装置が圧縮する方向に想定を超えた外力が付加された場合の動作を概略的に示した断面図である。
【図５】本発明を適用したダンパ取付装置の変形例を示し、この変形例のダンパ取付装置に、ダンパ装置が伸張する方向に想定を超えた外力が付加された場合の動作を概略的に示した断面図である。
【図６】本発明を適用したダンパ取付装置に、ダンパ装置に加え、落橋防止装置を取り付けた変形例を概略的に示した断面図である。
【発明を実施するための形態】
【００１４】
以下、本発明を適用したダンパ取付装置について図面を参照して説明する。なお、以下、ダンパ取付装置について、以下の順に沿って説明する。
【００１５】
１．ダンパ取付装置の使用状態の説明
２．ダンパ取付装置の構成の説明
３．ダンパ取付装置の動作の説明
４．ダンパ取付装置の効果の説明
５．ダンパ取付装置の変形例の説明
５−１．第１の変形例
５−２．第２の変形例
５−３．全体の変形例
【００１６】
［１．ダンパ取付装置の使用状態の説明］
図１に示すように、本発明を適用したダンパ取付装置１０は、橋桁１が支承装置（不図示）を介して橋脚２に設置された状態において、橋桁１及び橋脚２に設置され、ダンパ装置２０を橋桁１と橋脚２との間に設けている。このダンパ取付装置１０は、橋梁に例えば地震動レベル１，２等の想定内の地震動が作用した場合には、ダンパ装置２０によって、振動エネルギを吸収して振動を減衰させ、橋桁１の変位量を制限する。また、ダンパ取付装置１０は、橋梁に例えば地震動レベル２を超えた地震動が作用した場合には、ダンパ装置２０によって橋梁に損傷を与えることなく、速やかにダンパ装置２０を機能喪失させる。なお、ダンパ取付装置１０は、例えば、橋桁１が支承装置を介して橋台に設置された状態において、橋桁１及び橋台に設置され、ダンパ装置２０を橋桁１と橋台との間に設けるようにしても良い。以下、ダンパ取付装置１０について、橋桁１及び橋脚２に設けた場合を例に説明する。
【００１７】
［２．ダンパ取付装置の構成の説明］
図１に示すように、ダンパ取付装置１０は、橋桁１に設置され、ダンパ装置２０の一端を橋桁１に取り付ける第１のブラケット３０と、橋脚２に設置され、ダンパ装置２０の他端を橋脚２に取り付ける第２のブラケット４０とを備えている。
【００１８】
ダンパ装置２０は、図１に示すように、一端が第１のブラケット３０を介して橋桁１に取り付けられ、他端が第２のブラケット４０を介して橋脚２に取り付けられることで、橋桁１と橋脚２との間に設けられている。更に、ダンパ装置２０は、例えば、シリンダ、ピストン、ロッド、充填材等で構成され、両端にダンパ装置２０を第１のブラケット３０及び第２のブラケット４０に締結するための締結部材２１が設けられた従来公知の粘性ダンパである。ダンパ装置２０は、地震によって急激な振動が発生した場合等に、振動を有効に減衰させる。なお、ダンパ装置２０については、従来公知の粘性ダンパであるので、ここでは詳細な説明は省略する。
【００１９】
第１のブラケット３０は、例えば金属材料で形成されており、図１に示すように、橋桁１に取り付けられる取付面となる取付部３１と、取付部３１に設けられ、ダンパ装置２０の一端が取り付けられるダンパ取付部３２とを有している。
【００２０】
取付部３１は、例えば板状に設けられており、通常のボルト及びナット又は溶接によって橋桁１に固定される。なお、取付部３１は、従来公知の他の固定手段によって橋桁１に固定されるようにしても良い。
【００２１】
ダンパ取付部３２は、例えば板状に設けられており、主面に、ダンパ装置２０の一端側の締結部材２１を締結する第１のノックオフボルト５０が挿通される挿通孔３２ａが形成されている。そして、ダンパ取付部３２には、他端側の主面に、ダンパ装置２０の一端側の締結部材２１の締結部２１ａが第１のノックオフボルト５０及びナット５１によって締結されることで、ダンパ装置２０の一端側の締結部材２１が取り付けられる。なお、挿通孔３２ａをネジ孔で形成し、このネジ孔から成る挿通孔３２ａに第１のノックオフボルト５０を螺合することで、ダンパ取付部３２にダンパ装置２０の一端側の締結部材２１の締結部２１ａを取り付けるようにしても良い。
【００２２】
第２のブラケット４０は、例えば金属材料で形成されており、図１に示すように、略Ｌ字状の一対の係合部材４１，４１が所定の間隔をあけて対向配置された構成を有し、それぞれ他端片が橋脚２に通常のボルト及びナット又は溶接によって固定されている。なお、第２のブラケット４０は、従来公知の他の固定手段によって橋脚２に固定されるようにしても良い。
【００２３】
また、第２のブラケット４０の係合部材４１の一端片４１ａには、ダンパ装置２０の他端側の締結部材２１の締結部２１ａを締結する第２のノックオフボルト６０が挿通される挿通孔４２が形成されている。そして、第２のブラケット４０には、一端片４１ａ，４１ａ間からダンパ装置２０の他端側の締結部材２１の一部を外部に露出させた状態で、一端片４１ａの内部側の主面に、この他端側の締結部材２１の締結部２１ａが第２のノックオフボルト６０及びナット６１によって締結されることで、ダンパ装置２０の他端側の締結部材２１が取り付けられる。
【００２４】
次に、第１のノックオフボルト５０及び第２のノックオフボルト６０について説明する。なお、第１のノックオフボルト５０及び第２のノックオフボルト６０は、同様の構成を有するので、ここでは第１のノックオフボルト５０についてのみ説明し、第２のノックオフボルト６０については説明を省略する。
【００２５】
第１のノックオフボルト５０は、図２に示すように、軸部５２と、軸部５２と一体の頭部５３と、軸部５２に形成された強度弱部５４とを有している。強度弱部５４は、軸部５２の他の領域よりも断面積が小さくなるように設けられている。ここでは、強度弱部５４は、例えば、軸部５２の円周上に全周に亘って断面略Ｖ字状の凹溝５５が形成されることで、軸部５２の他の領域よりも縮径して設けられている。これにより、第１のノックオフボルト５０は、軸方向に想定を超えた引張荷重が作用した場合には強度弱部５４が破断するように設けられている。より具体的には、強度弱部５４は、橋梁に例えば地震動レベル１，２等のダンパ装置２０の想定内の地震動が作用した場合にダンパ取付装置１０に付加される想定内の外力（引張荷重）では破断せず、橋梁に地震動レベル２を超えたダンパ装置２０の想定を超えた地震動が作用した場合にダンパ取付装置１０に付加される想定を超えた外力（引張荷重）、例えば、ダンパ装置２０の降伏力をある程度超過する外力が作用する場合では破断するように設けられている。
【００２６】
更に、強度弱部５４は、ダンパ取付装置１０の他の構成部材よりも構造的強度が低く設けられている。具体的には、強度弱部５４は、ダンパ装置２０、第１のブラケット３０、第２のブラケット４０、第１のブラケット３０と橋桁１とを締結する通常のボルト及びナット（溶接の場合には第１のブラケット３０と橋桁１との溶接強度）、第２のブラケット４０と橋脚２とを締結する通常のボルト及びナット（溶接の場合には第２のブラケット４０と橋脚２との溶接強度）よりも構造的強度が低く設けられている。換言すると、ダンパ取付装置１０の他の構成部材は、強度弱部５４よりも、構造的強度が高くなるように設けられている。
【００２７】
なお、強度弱部５４は、他の構成部材よりも構造的強度を低く設けることができれば、略Ｖ字状の凹溝５５の他に、Ｕ字状や矩形状等、如何なる形状の凹溝５５によって形成するようにしても良い。また、強度弱部５４は、縮径して設けることに限定されるものではなく、穴、切欠き、キー溝等の凹部を１又は複数個形成して、断面積を小さくして、他の構成部材よりも構造的強度を低く設けて形成するようにしても良い。更に、強度弱部５４は、軸部５２の他の領域よりも断面積が小さくなるように設けることに限定されるものではなく、軸部５２に焼きを入れる等して、構造的強度を低く設けるようにしても良い。
【００２８】
［３．ダンパ取付装置の動作の説明］
次に、以上のような構成を有するダンパ取付装置１０に大規模地震時の振動等によって想定を超えた地震動が作用して、ダンパ装置２０に想定を超えた外力が付加された場合のダンパ取付装置１０の動作について説明する。
【００２９】
先ず、図１に示すように、橋梁に想定を超えた地震動が作用して、ダンパ装置２０が収縮する方向に想定を超えた外力が付加された場合について説明する。
【００３０】
この場合、第１のブラケット３０には、図１中の矢印Ａ１に示すように、ダンパ装置２０の一端側の締結部材２１をダンパ装置２０の他端側の締結部材２１側に押圧する方向に外力が付加される。しかしながら、第１のブラケット３０のダンパ取付部３２とダンパ装置２０の一端側の締結部材２１の締結部２１ａとが主面同士を突き合わせて設けられているので、ダンパ装置２０の一端側の締結部材２１の締結部２１ａが第１のブラケット３０から面圧を受けるだけで、ダンパ装置２０の一端側の締結部材２１と第１のブラケット３０とを締結する第１のノックオフボルト５０には、想定を超えた外力が付加されない。
【００３１】
その一方で、第２のブラケット４０には、図１中の矢印Ａ２に示すように、ダンパ装置２０の他端側の締結部材２１から離間する方向に外力が付加される。したがって、ダンパ装置２０の他端側の締結部材２１と第２のブラケット４０とを締結する第２のノックオフボルト６０には、引張荷重が付加される。すると、第２のノックオフボルト６０には、想定を超えた引張荷重が付加されて、強度弱部６４で破断する。これにより、ダンパ取付装置１０は、ダンパ装置２０の他端側の締結部材２１と第２のブラケット４０との締結状態が外れ、ダンパ装置２０によって、第１のブラケット３０、第２のブラケット４０、橋桁１及び橋脚２に損傷を与えることなく、速やかにダンパ装置２０を機能喪失させる。
【００３２】
次に、図３に示すように、橋梁に想定を超えた地震動が作用して、ダンパ装置２０が伸張する方向に想定を超えた外力が付加された場合について説明する。
【００３３】
この場合、第２のブラケット４０には、図３中の矢印Ａ３に示すように、ダンパ装置２０の他端側の締結部材２１を他端側に押圧する方向に外力が付加される。しかしながら、第２のブラケット４０の係合部材４１の一端片４１ａとダンパ装置２０の他端側の締結部材２１の締結部２１ａとが、主面同士を突き合わせて設けられているので、ダンパ装置２０の他端側の締結部材２１の締結部２１ａが第２のブラケット４０から面圧を受けるだけで、ダンパ装置２０の他端側の締結部材２１と第２のブラケット４０とを締結する第２のノックオフボルト６０には、想定を超えた外力が付加されない。
【００３４】
その一方で、第１のブラケット３０には、図３中の矢印Ａ４に示すように、ダンパ装置２０の一端側の締結部材２１から離間する方向に外力が付加される。したがって、ダンパ装置２０の一端側の締結部材２１と第１のブラケット３０とを締結する第１のノックオフボルト５０には、引張荷重が付加される。すると、第１のノックオフボルト５０には、想定を超えた引張荷重が付加されるので、強度弱部５４で破断する。これにより、ダンパ取付装置１０は、ダンパ装置２０の一端側の締結部材２１と第１のブラケット３０との締結状態が外れ、ダンパ装置２０によって、第１のブラケット３０、第２のブラケット４０、橋桁１及び橋脚２に損傷を与えることなく、速やかにダンパ装置２０を機能喪失させる。
【００３５】
［４．ダンパ取付装置の効果の説明］
以上のような構成を有するダンパ取付装置１０は、ダンパ装置２０の一端側の締結部材２１が、第１のブラケット３０のダンパ取付部３２の他端側の主面に突き合わせて、第１のノックオフボルト５０及びナット５１によって締結され、ダンパ装置２０の他端側の締結部材２１が、第２のブラケット４０の係合部材４１の一端片４１ａの他端側の主面に突き合わせて、第２のノックオフボルト６０及びナット６１によって締結されているとともに、第１のノックオフボルト５０に、ダンパ取付装置１０の他の構成部材よりも構造的強度が低い強度弱部５４が設けられ、第２のノックオフボルト６０に、ダンパ取付装置１０の他の構成部材よりも構造的強度が低い強度弱部６４が設けられている。
【００３６】
したがって、ダンパ取付装置１０は、橋梁に想定を超えた地震動が作用して、ダンパ装置２０にダンパ装置２０が収縮する方向に想定を超えた外力が付加された場合、第２のノックオフボルト６０の強度弱部６４が破断し、ダンパ装置２０の他端側の締結部材２１と第２のブラケット４０との締結状態が外れる。したがって、ダンパ取付装置１０は、ダンパ装置２０によって、第１のブラケット３０、第２のブラケット４０、橋桁１及び橋脚２に損傷を与えることなく、速やかにダンパ装置２０を機能喪失させることができ、想定を超えた地震時の橋梁全体の耐久性を維持することができる。
【００３７】
更に、ダンパ取付装置１０は、橋梁に想定を超えた地震動が作用して、ダンパ装置２０にダンパ装置２０が伸張する方向に想定を超えた外力が付加された場合、第１のノックオフボルト５０の強度弱部５４が破断し、ダンパ装置２０の一端側の締結部材２１と第１のブラケット３０との締結状態が外れる。したがって、ダンパ取付装置１０は、ダンパ装置２０によって、第１のブラケット３０、第２のブラケット４０、橋桁１及び橋脚２に損傷を与えることなく、速やかにダンパ装置２０を機能喪失させることができ、想定を超えた地震時の橋梁全体の耐久性を維持することができる。
【００３８】
なお、橋桁１と橋脚２との間には、橋梁に想定を超えた地震動が作用した場合に備えて、橋桁１が橋脚２から落下することを防止する落橋防止装置を取り付けるようにしても良い。この場合、落橋防止装置は、ダンパ取付装置１０に近接するように取り付けても良く、離間するように取り付けても良い。
【００３９】
［５．ダンパ取付装置の変形例の説明］
＜５−１．第１の変形例＞
次に、ダンパ取付装置１０の変形例であるダンパ取付装置７０について説明する。なお、ダンパ取付装置１０と同様の構成については、同じ符号を付して説明を省略し、異なる構成のみを説明する。ダンパ取付装置７０は、ダンパ取付装置１０では第１及び第２のノックオフボルト５０，６０に想定を超えた引張荷重が付加されると強度弱部５４，６４が破断したが、想定を超えたせん断荷重が付加されると、強度弱部５４，６４が破断する。
【００４０】
具体的に、図１及び図３に示すように、ダンパ取付装置１０では、ダンパ装置２０の一端側の締結部材２１の締結部２１ａを板状に設け、第１のブラケット３０のダンパ取付部３２とダンパ装置２０の一端側の締結部材２１の締結部２１ａとを主面同士を当接させて、第１のブラケット３０のダンパ取付部３２にダンパ装置２０の一端側の締結部材２１の締結部２１ａを、第１のノックオフボルト５０及びナット５１によって締結することで、第１のブラケット３０にダンパ装置２０の一端が取り付けられている。更に、ダンパ取付装置１０では、ダンパ装置２０の他端側の締結部材２１の締結部２１ａを板状に設け、第２のブラケット４０の一端片４１ａ，４１ａ間からダンパ装置２０の他端側の締結部材２１の一部を外部に露出させた状態で、係合部材４１の一端片４１ａの内面側の主面に、この他端側の締結部材２１の締結部２１ａを、第２のノックオフボルト６０及びナット６１によって締結することで、第２のブラケット４０にダンパ装置２０の他端が取り付けられている。
【００４１】
これに対して、ダンパ取付装置７０では、図４及び図５に示すように、ダンパ装置２０の一端側の締結部材２１の締結部２１ａを柱状に設け、第１のブラケット３０のダンパ取付部３２上に一対のガイド部材７１，７１を所定の間隔をあけて設置して、柱状の締結部２１ａの端部がダンパ取付部３２と当接した状態で、柱状の締結部２１ａをガイド部材７１，７１間に収納して、ガイド部材７１の側面にダンパ装置２０の一端側の締結部材２１の締結部２１ａの側面を、第１のノックオフボルト５０によって締結することで、第１のブラケット３０にダンパ装置２０の一端が取り付けられている。更に、ダンパ取付装置７０では、ダンパ装置２０の他端側の締結部材２１の締結部２１ａを柱状に設け、第２のブラケット４０の係合部材４１の一端片４１ａ，４１ａ間からダンパ装置２０の他端側の締結部材２１の一部を外部に露出させた状態で、第２のブラケット４０の側面にダンパ装置２０の他端側の締結部材２１の締結部２１ａの側面を、第２のノックオフボルト６０によって締結することで、第２のブラケット４０にダンパ装置２０の他端が取り付けられている。
【００４２】
このような構成を有するダンパ取付装置７０では、橋梁に想定を超えた地震動が作用して、ダンパ装置２０に図４に示すようにダンパ装置２０が収縮する方向に想定を超えた外力が付加された場合、第１のブラケット３０には、図４中の矢印Ｂ１に示すように、ダンパ装置２０の一端側の締結部材２１をダンパ装置２０の他端側の締結部材２１側に押圧する方向に外力が付加される。しかしながら、ダンパ取付装置１０と同様に、第１のブラケット３０のダンパ取付部３２とダンパ装置２０の一端側の締結部材２１の締結部２１ａとが主面同士を突き合わせて設けられているので、ダンパ装置２０の一端側の締結部材２１の締結部２１ａが第１のブラケット３０から面圧を受けるだけで、ダンパ装置２０の一端側の締結部材２１とガイド部材７１とを締結する第１のノックオフボルト５０には、想定を超えた外力が付加されない。
【００４３】
その一方で、第２のブラケット４０には図４中の矢印Ｂ２に示すようにダンパ装置２０の他端側の締結部材２１から離間する方向に外力が付加されるので、ダンパ装置２０の他端側の締結部材２１と第２のブラケット４０とを締結する第２のノックオフボルト６０には、せん断荷重が付加される。したがって、第２のノックオフボルト６０には、想定を超えたせん断荷重が付加されることで、第２のノックオフボルト６０の強度弱部６４が破断する。これにより、ダンパ取付装置７０は、ダンパ取付装置１０と同様に、ダンパ装置２０の他端側の締結部材２１と第２のブラケット４０との締結状態が外れ、ダンパ装置２０によって、第１のブラケット３０、第２のブラケット４０、橋桁１及び橋脚２に損傷を与えることなく、速やかにダンパ装置２０を機能喪失させることができ、想定を超えた地震時の橋梁全体の耐久性を維持することができる。
【００４４】
更に、ダンパ取付装置７０では、橋梁に想定を超えた地震動が作用して、ダンパ装置２０に図５に示すようにダンパ装置２０が伸張する方向に想定を超えた外力が付加された場合、第２のブラケット４０には、図５中の矢印Ｂ３に示すように、ダンパ装置２０の他端側の締結部材２１を他端側に押圧する方向に外力が付加される。しかしながら、ダンパ取付装置１０と同様に、第２のブラケット４０の係合部材４１の一端片４１ａとダンパ装置２０の他端側の締結部材２１の締結部２１ａとが、主面同士を突き合わせて設けられているので、ダンパ装置２０の他端側の締結部材２１の締結部２１ａが第２のブラケット４０から面圧を受けるだけで、ダンパ装置２０の他端側の締結部材２１と第２のブラケット４０とを締結する第２のノックオフボルト６０には、想定を超えた外力が付加されない。
【００４５】
その一方で、第１のブラケット３０には図５中の矢印Ｂ４に示すようにダンパ装置２０の一端側の締結部材２１から離間する方向に外力が付加されるので、ダンパ装置２０の一端側の締結部材２１とガイド部材７１とを締結する第１のノックオフボルト５０には、せん断荷重が付加される。したがって、第１のノックオフボルト５０には、想定を超えたせん断荷重が付加されるので、強度弱部５４で破断する。これにより、ダンパ取付装置７０は、ダンパ取付装置１０と同様に、ダンパ装置２０の一端側の締結部材２１とガイド部材７１（第１のブラケット３０）との締結状態が外れ、ダンパ装置２０によって、第１のブラケット３０、第２のブラケット４０、橋桁１及び橋脚２に損傷を与えることなく、ダンパ装置２０を速やかに機能喪失させることができ、想定を超えた地震時の橋梁全体の耐久性を維持することができる。
【００４６】
＜５−２．第２の変形例＞
次に、ダンパ取付装置１０，７０の変形例であるダンパ取付装置８０について説明する。なお、ダンパ取付装置１０，７０と同様の構成については、同じ符号を付して説明を省略し、異なる構成のみを説明する。
【００４７】
ダンパ取付装置１０，７０ではダンパ装置２０だけを橋桁１及び橋脚２に取り付けるのに対して、ダンパ取付装置８０では、図６に示すように、ダンパ装置２０に加え、支承装置やダンパ装置２０が大規模地震時の振動等によって破損した場合に橋桁１が橋脚２から落下することを防止する落橋防止装置９０を、橋桁１及び橋脚２に取り付ける。すなわち、ダンパ取付装置８０は、ダンパ装置２０の取付装置と落橋防止装置９０の取付装置とを兼用する。
【００４８】
落橋防止装置９０は、ケーブルやチェーン等で構成された従来公知の落橋防止装置である。また、落橋防止装置９０は、一端が第１のブラケット３０を介して橋桁１に取り付けられ、他端が橋脚２に直接的に取り付けられることで、橋桁１と橋脚２との間に設けられている。例えば、落橋防止装置９０の一端は、第１のブラケット３０の取付部３１に設けられた板状の落橋防止装置取付部３３に、通常のボルト及びナットや溶接等の従来公知の固定方法によって取り付けられる。このような落橋防止装置９０は、支承装置やダンパ装置２０が大規模地震時の振動等によって破損した場合に、橋桁１が橋脚２から落下することを防止する。なお、落橋防止装置９０は、一端をダンパ装置２０とともにダンパ取付部３２に取り付けるようにしても良い。また、落橋防止装置９０は、他端を他のブラケットを介して橋脚２に取り付けるようにしても良い。
【００４９】
以上のような構成を有するダンパ取付装置８０は、橋梁に想定を超えた地震動が作用した場合、ダンパ取付装置１０，７０と同様に、第１のノックオフボルト５０の強度弱部５４又は第２のノックオフボルト６０の強度弱部６４が破断することで、ダンパ装置２０によって、第１のブラケット３０、第２のブラケット４０、橋桁１及び橋脚２に損傷を与えることなく、ダンパ装置２０を速やかに機能喪失させることができ、想定を超えた地震時の橋梁全体の耐久性を維持することができる。
【００５０】
また、ダンパ取付装置８０は、上述したように、橋梁に想定を超えた地震動が作用した際の破壊メカニズムを制御することができるので、ダンパ装置２０の取付装置と落橋防止装置９０の取付装置とを兼用することができる。したがって、ダンパ取付装置８０は、ダンパ装置２０の取付装置と落橋防止装置９０の取付装置とを別途設置するよりも、コンパクト化することができ、部材節約することができ、経済的であり、更に、狭隘な箇所でも施工することができる。更に、ダンパ取付装置８０は、上述したように、ダンパ装置２０の取付装置と落橋防止装置９０の取付装置とを兼用することができるので、落橋防止装置が落橋防止装置の取付装置によって設置されている既設橋梁において、限られた設置スペースしかなくとも、ダンパ装置２０を後付けすることができる。
【００５１】
更に、ダンパ取付装置８０は、上述したように、橋梁に想定を超えた地震動が作用した場合、ダンパ装置２０によって、第１のブラケット３０、第２のブラケット４０、橋桁１及び橋脚２に損傷を与えることなく、ダンパ装置２０を速やかに機能喪失させることができるので、ダンパ装置２０の取付装置と落橋防止装置９０の取付装置とを兼用しても、落橋防止装置９０の機能を十分発揮させることができる。
【００５２】
＜５−３．全体の変形例＞
なお、ダンパ取付装置１０，７０，８０は、橋桁１と橋脚２との間に設けられることに限定されるものではなく、隣接する一対の橋桁１，１間等、橋桁１と相対的に変位を生む関係にある構成部材に設けるようにしても良い。
【符号の説明】
【００５３】
１  橋桁、２  橋脚、１０  ダンパ取付装置、２０  ダンパ装置、２１  締結部材、２１ａ  締結部、３０  第１のブラケット、３１  取付部、３２  ダンパ取付部、３２ａ  挿通孔、３３  落橋防止装置取付部、４０  第２のブラケット、４１  係合部材、４１ａ  一端片、４２  挿通孔、５０  第１のノックオフボルト、５１  ナット、５２  軸部、５３  頭部、５４  強度弱部、５５  凹溝、６０  第２のノックオフボルト、６１  ナット、６２  軸部、６３  頭部、６４  強度弱部、７０  ダンパシステム、７１  ガイド部材、８０  ダンパシステム、９０  落橋防止装置
【図１】
2014031670.tif 000003
【図２】
2014031670.tif 000004
【図３】
2014031670.tif 000005
【図４】
2014031670.tif 000006
【図５】
2014031670.tif 000007
【図６】
2014031670.tif 000008